(57)【特許請求の範囲】
【請求項１】
回折格子を有する微小な複数の回折格子要素が基板表面に配置されており、部分的に選択された照明光が照射されると、前記照明光が前記回折格子要素で回折してなる回折光の全部または一部が、空間上の所定領域に入射するように格子間隔および格子角度が設定されていると共に、少なくとも２個の回折格子要素の組み合わせからなる回折格子要素群からの前記回折光の全部または一部が前記所定領域に入射した場合、前記所定領域における再生情報和が、所定の秘匿情報として現出する情報記録媒体から、前記秘匿情報を検出する装置であって、
前記情報記録媒体に向けて前記照明光を照射する光源と、
前記光源から照射された照明光のうちの一部を、部分的に選択する照明光源マスクと、
前記回折光を検知する検知機能と、前記検知機能によって検知された回折光に基づいて、最大辺の長さが０．１５ｍｍ以下の回折格子要素を読み取ることが可能な分解能とを備えた読取手段と
を備えた秘匿情報検知装置。
【請求項２】
前記読取手段は、前記秘匿情報を含む回折格子要素群のうち、最小辺の長さが１ｍｍ以上の大きさの回折格子要素群から、秘匿情報を読み取ることが可能な能力を備えた請求項１に記載の秘匿情報検知装置。
【請求項３】
請求項１または請求項２に記載の秘匿情報検知装置によって検査される情報記録媒体であって、
回折格子を有する微小な複数の回折格子要素が基板表面に配置されており、前記回折格子要素の最大辺の長さが０．１５ｍｍ以下であり、光源から照射された照明光が前記回折格子要素で回折してなる回折光の全部または一部が、空間上の所定領域に入射するように格子間隔および格子角度が設定されていると共に、少なくとも２個の回折格子要素の組み合わせからなる回折格子要素群からの前記回折光の全部または一部が前記所定領域に入射した場合、前記所定領域における再生情報和が、所定の秘匿情報として現出するようにした情報記録媒体。
【請求項４】
前記回折格子要素の平面形状が正方形又は方形であり、正方形の一辺、又は方形の長辺の長さが０．１５ｍｍ以下である請求項３に記載の情報記録媒体。
【請求項５】
前記回折格子要素の平面形状が円形又は楕円形であり、円形の直径、又は楕円形の長径が０．１５ｍｍ以下である請求項３に記載の情報記録媒体。
【請求項６】
前記回折格子要素の平面形状が正方形であり、一辺の長さが０．０５ｍｍ以下であり、前記回折格子要素群の一辺の長さが１ｍｍ以下である請求項３に記載の情報記録媒体。
【請求項７】
前記回折格子要素群の全体が可視画像を表現している請求項３乃至６のうち何れか１項に記載の情報記録媒体。
【発明の詳細な説明】
【技術分野】
【０００１】
本発明は、例えば、回折格子を用いて記録されたような、肉眼で認知できない秘匿情報を保持する情報記録媒体と、この情報記録媒体に記録された秘匿情報を検知する秘匿情報検知装置に関する。
【背景技術】
【０００２】
従来から、平面状の基板上に、表面に回折格子を有する微小な回折格子要素（ドット）を画素として複数個配置することにより得られる回折格子パターンを有する、ディスプレイなどの情報記録媒体が多く使用されてきている。
【０００３】
この内、２光束干渉による回折格子パターンを有する情報記録媒体は、２光束干渉による微小な干渉縞（以下、回折格子と称す）を、そのピッチ、方向、および光強度を変化させて感光性フィルムに次々と露光して得られる（例えば、特許文献１参照）。
【０００４】
より具体的には、この回折格子パターンは、複数の微小な回折格子要素に分割されていると共に、各回折格子要素の回折格子におけるピッチ、空間周波数、さらには各回折格子要素の並べ方を適宜変化させ、さらに回折格子要素表面の回折格子の方向を各回折格子要素毎に変化させてなる。
【０００５】
さらに、回折格子パターンを有する情報記録媒体としては、例えば電子ビーム露光装置を用い、コンピュータの制御により、平面状の基板が載置されたＸＹステージを移動させ、基板の表面に微小な複数個の回折格子要素を絵柄状に記録・配置することにより得られる、所定絵柄の回折格子パターンが形成された情報記録媒体も提案されている（例えば、特許文献２参照）。
【０００６】
ところで、このような回折格子を有する情報記録媒体の真贋を検証機を用いて判定する方法としては、例えば、微小な回折格子要素の配列中に記録してあるパターン情報の部分へレーザー光等を照射して回折光を得、それをセンサーで読み取り、記録し、それに基づき真贋の判定を行う方法が採用されている（例えば、特許文献３参照）。
【０００７】
また、肉眼では観察できないパターン、もしくは識別できないパターンとして情報を記録しておき、レーザー光を用いた読取装置などを用いてその情報を読み取って真贋判定を行う方法も提案されている（例えば、特許文献４参照）。
【特許文献１】特開平５−７２４０６号公報
【特許文献２】米国特許第５０５８９９２号公報
【特許文献３】特開平５−５０７８８号公報
【特許文献４】特開平１０−１０９５６号公報
【発明の開示】
【発明が解決しようとする課題】
【０００８】
しかしながら、このような方法で真贋の判定を行う場合、以下のような問題がある。
【０００９】
すなわち、このような方法で真贋の判定を行う場合、判定対象となる情報記録媒体の回折格子パターンが転写箔を利用した転写によって紙上に形成されたような場合には、転写する紙の平坦性が悪いため、転写箔が紙表面の凹凸に沿って曲げられ、転写箔における回折格子の凹凸状態やパターンが忠実に紙上に転写・再現されず、ひいては判定時に正しい再生像を得ることが出来なくなってしまい、情報を明確に読み取ることが困難となるという問題がある。
【００１０】
本発明はこのような事情に鑑みてなされたものであり、表面に回折格子を有する微小な回折格子要素を配した基板の表面平滑性が悪い場合でも、確実に真贋判定を行うことが可能であると共に、所定の秘匿情報を記録した領域を判別することが困難であって、より一層高度な偽造防止効果を奏し、ディスプレイとしての可視性の向上、ならびにデザインの自由度の増加を実現することが可能な情報記録媒体、及び情報記録媒体に記録された秘匿情報を検地する秘匿情報検知装置を提供することを目的とする。
【課題を解決するための手段】
【００１１】
上記の目的を達成するために、本発明では、以下のような手段を講じる。
【００１２】
請求項１の発明は、回折格子を有する微小な複数の回折格子要素が基板表面に配置されており、部分的に選択された照明光が照射されると、照明光が回折格子要素で回折してなる回折光の全部または一部が、空間上の所定領域に入射するように格子間隔および格子角度が設定されていると共に、少なくとも２個の回折格子要素の組み合わせからなる回折格子要素群からの回折光の全部または一部が所定領域に入射した場合、所定領域における再生情報和が、所定の秘匿情報として現出する情報記録媒体から、秘匿情報を検出する装置である。この装置は、光源と読取手段と照明光源マスクとを備えており、光源は、情報記録媒体に向けて照明光を照射し、照明光源マスクは、光源から照射された照明光のうちの一部を、部分的に選択し、読取手段は、回折光を検知する検知機能と、検知機能によって検知された回折光に基づいて、最大辺の長さが０．１５ｍｍ以下の回折格子要素を読み取ることが可能な分解能とを備えている。
【００１３】
従って、請求項１の発明の秘匿情報検知装置においては、以上のような手段を講じることにより、最大辺の長さが０．１５ｍｍ以下の回折格子要素により構成される情報記録媒体の秘匿情報であっても安定して読み取ることが可能となる。
【００１４】
請求項２の発明は、請求項１の発明の秘匿情報検知装置において、読取手段は、秘匿情報を含む回折格子要素群のうち最小辺の長さが１ｍｍ以上の大きさの回折格子要素群から、秘匿情報を読み取ることが可能な能力を備えている。
【００１５】
従って、請求項２の発明の秘匿情報検知装置においては、以上のような手段を講じることにより、最小辺の長さが１ｍｍ以上の回折格子要素の群により構成される情報記録媒体の秘匿情報であっても安定して読み取ることが可能となる。
【００１６】
請求項３の発明は、請求項１または請求項２に記載の秘匿情報検知装置によって検査される情報記録媒体であって、回折格子を有する微小な複数の回折格子要素が基板表面に配置されており、回折格子要素の最大辺の長さが０．１５ｍｍ以下であり、光源から照射された照明光が回折格子要素で回折してなる回折光の全部または一部が、空間上の所定領域に入射するように格子間隔および格子角度が設定されていると共に、少なくとも２個の回折格子要素の組み合わせからなる回折格子要素群からの回折光の全部または一部が所定領域に入射した場合、所定領域における再生情報和が、所定の秘匿情報として現出するようにした情報記録媒体である。
【００１７】
従って、請求項３の発明の情報記録媒体においては、以上のような手段を講じることにより、基板表面の表面平滑性が悪い場合であっても、確実に秘匿情報を読み取ることができると共に、所定の秘匿情報を記録した領域を判別することが困難な情報記録媒体を提供することが可能となる。
【００１８】
請求項４の発明は、請求項３の発明の情報記録媒体において、回折格子要素の平面形状が正方形又は方形であり、正方形の一辺、又は方形の長辺の長さが０．１５ｍｍ以下である。
【００１９】
従って、請求項４の発明の情報記録媒体においては、以上のような手段を講じることにより、所定の秘匿情報を記録した領域を判別することがより一層困難となり、より一層高度な偽造防止効果を奏し、ディスプレイとしての可視性の向上、ならびにデザインの自由度の増加に資することが可能となる。
【００２０】
請求項５の発明は、請求項３の発明の情報記録媒体において、回折格子要素の平面形状が円形又は楕円形であり、円形の直径、又は楕円形の長径が０．１５ｍｍ以下である。
【００２１】
従って、請求項５の発明の情報記録媒体においては、以上のような手段を講じることにより、所定の秘匿情報を記録した領域を判別することがより一層困難となり、より一層高度な偽造防止効果を奏し、ディスプレイとしての可視性の向上、ならびにデザインの自由度の増加に資することが可能となる。
【００２２】
請求項６の発明は、請求項３の発明の情報記録媒体において、回折格子要素の平面形状が正方形であり、一辺の長さが０．０５ｍｍ以下であり、回折格子要素群の一辺の長さが１ｍｍ以下である。
【００２３】
従って、請求項６の発明の情報記録媒体においては、以上のような手段を講じることにより、所定の秘匿情報を記録した領域を目視によって判別することがより一層困難となり、また、通常のレーザー光を用いた回折格子の描画方法での作製は困難となり、電子線描画装置などが必要となり、より一層高度な偽造防止効果を実現することが可能となる。
【００２４】
請求項７の発明は、請求項３乃至６のうち何れか１項の発明の情報記録媒体において、回折格子要素群の全体が可視画像を表現している。
【００２５】
従って、請求項７の発明の情報記録媒体においては、例えば、秘匿情報を保持していない回折格子要素の中に、秘匿情報を保持する回折格子要素を混在することにより、これら秘匿情報を保持する回折格子要素の存否及びその位置を隠したため、偽造を一層困難にすることが可能となる。
【発明の効果】
【００２６】
本発明によれば、表面に回折格子を有する微小な回折格子要素を配した基板の表面平滑性が悪い場合でも、確実に真贋判定を行うことが可能であると共に、所定の秘匿情報を記録した領域を判別することが困難であって、より一層高度な偽造防止効果を奏し、ディスプレイとしての可視性の向上、ならびにデザインの自由度の増加を実現することが可能な情報記録媒体、及び情報記録媒体の秘匿情報検知装置を実現することができる。
【発明を実施するための最良の形態】
【００２７】
以下に、本発明を実施するための最良の形態について図面を参照しながら説明する。
【００２８】
図１は、本発明の実施の形態に係る情報記録媒体の構成例を示す平面図である。すなわち、本実施の形態に係る情報記録媒体１０は、微小な複数の回折格子要素１１が基板表面（図示せず）に配置されてなる。
【００２９】
また、各回折格子要素１１は、図２の平面図に示すように、規則的に配置された複数の回折格子Ｋを有し、平面形状は正方形又は方形をしており、正方形の一辺、又は方形の長辺の長さＨは０．１５ｍｍ以下（例えば、０．０５ｍｍ）である。なお、各回折格子要素１１の平面形状は正方形又は方形に限らず、円形又は楕円形でも良い。この場合、円形の直径、又は楕円形の長径は、例えば０．１５ｍｍ以下である。
【００３０】
そして、情報記録媒体１０は、図３に示すように、中空で円形の拡散面を持った光源３９から照射された照明光３６が回折格子要素１１で回折してなる回折光３７の全部または一部が、空間上の所定領域３８に入射するように、図２に示すように格子間隔ｈおよび格子角度θが設定されている。
【００３１】
さらに、情報記録媒体１０は、少なくとも２個の回折格子要素１１の組み合わせからなる回折格子要素群３１からの回折光３７の全部または一部が所定領域３８に入射した場合、所定領域３８における再生情報和が、所定の秘匿情報として現出するようにしている。
【００３２】
次に、このような情報記録媒体１０における回折格子Ｋの作製方法を、図４を用いて説明する。
【００３３】
図４における回折格子Ｋは、レーザー光Ｌ１と、レーザー光Ｌ２との２つの光束を干渉することで得られる干渉縞を、感光材料に記録して作製する。
【００３４】
ここで、回折格子Ｋの干渉縞Ｓの方向は、レーザー光Ｌ１とレーザー光Ｌ２の入射する方向で決定され、互いに隣接する干渉縞Ｓ同士の間隔は、レーザー光Ｌ１とレーザー光Ｌ２の交差する角度により決定される。
【００３５】
レーザー光Ｌ１とレーザー光Ｌ２は、レーザー光線をレンズ等の縮小光学系を用いて縮小しているため、直径φの大きさに縮小され、その形状は元のレーザー光線Ｌと同等の円形となる。
【００３６】
２つのレーザー光Ｌ１，Ｌ２同士を縮小して干渉縞Ｓを作製する場合には、直径φの大きさとしては０．１５ｍｍ程度が限界となり、それより小さい直径φの回折格子Ｋを作製することは困難である。
【００３７】
図５は、回折格子要素群２１を構成する複数の回折格子要素の配列例を示す平面図である。
【００３８】
ここで、回折格子要素群２１は、２種類の回折格子角度からなる、縦６個、横６個の３６個の回折格子要素２４が基板表面に配置され、秘匿情報を保持する回折格子要素からなる情報記録要素２２と、秘匿情報を保持することのない回折格子要素からなる情報隠蔽要素２３により構成される。
【００３９】
また、回折格子要素２４の形状は直径φの円形状であり、直径φを０．１５ｍｍとすると、回折格子要素群２１は０．９ｍｍ角の大きさとなる。一般に、通常の観察距離から肉眼で観察した場合には、０．１５ｍｍという大きさは、分離可能な限界であることから、この回折格子要素群２１は０．９ｍｍ角の大きさの１個の回折格子として観察され、情報記録要素２２と、情報隠蔽要素２３とは肉眼では観察することができない。
【００４０】
ここで記録する秘匿情報は、情報記録要素２２の回折格子角度と同じ回折格子角度を持った回折格子要素の空間的配置で表現されるパターンである。
【００４１】
なお、秘匿情報の一部としては、例えば二値データの一部である「１」または「０」などの信号であり、秘匿情報の全部とは、例えば、前記「１」または「０」の信号を組み合わせて構成され、意味を持つ情報とする。
【００４２】
つまり、情報隠蔽要素２３の回折格子は情報記録要素２２の回折格子とは異なる回折格子角度に設定されていることから、情報記録要素２２とは異なる領域へ回折光が射出するようになり、情報記録要素２２が配置してある部分には、「１」を割り当てると、情報隠蔽要素２３の配置してある部分には「０」を割り当てたデータとなる。
【００４３】
ところで、回折格子要素群２１で秘匿情報を記録してない回折格子要素は、情報隠蔽要素２３の回折格子角度と同じ角度のものを配置しているが、情報記録要素２２の回折格子角度以外の回折格子角度であれば、情報隠蔽要素２３として配置することも可能である。
【００４４】
また、情報隠蔽要素２３としては、回折格子を持たない領域のみの要素として配置することも可能であるが、すべての要素を回折格子を持たない要素としてしまうと、この要素群を拡大観察したのみで回折格子の有り無しにより、秘匿情報を読取ることができてしまうため、少なくとも情報記録要素２２の回折格子以外の回折格子角度の回折格子を配置することが望ましい。
【００４５】
図６は、回折格子要素群４１を構成する回折格子要素の別の配列例を示す平面図である。
【００４６】
ここで、回折格子要素群４１は、３種類の回折格子角度からなる、縦６個、横６個の３６個の回折格子要素が基板表面に配置され、秘匿情報を保持する回折格子要素からなる情報記録要素４２、情報記録要素４４と、秘匿情報を保持することのない回折格子要素からなる情報隠蔽要素４３により構成される。
【００４７】
また、回折格子要素の形状は辺Ｈを一辺とする正方形であり、この回折格子要素の辺Ｈを０．０５ｍｍとすると、回折格子要素群４１は０．３ｍｍ角の大きさとなり、この個々の回折格子要素は、肉眼では全く観察することができず、特定の検知装置を利用しなければ読み取ることができず、この回折格子要素群は０．３ｍｍ角の大きさの１個の回折格子として観察される。
【００４８】
ところで、回折格子要素の一辺Ｈを０．０５ｍｍとする場合には、レーザー光による干渉縞では作製することができないことから、電子線描画装置により感光材料に電子線で回折格子の縞を直接描画することで、回折格子要素を得る。
【００４９】
また、電子線描画装置ではさらに小さい寸法の回折格子要素の作製も可能ではあるが、回折格子要素を極端に小さくした場合には、読取装置の分解能をより小さくする必要があり、拡大率を大きくすることから、読取装置による画像読み取り時の振動の問題や、読み取り位置を探す場合などが難しくなる恐れがある。
【００５０】
ところで、回折格子要素群４１における、情報記録要素と情報隠蔽要素の配列は、各々の要素が交互に規則正しく並んだ状態であるが、この配列に限られたものではなく、予め決められた規則、方法により秘匿情報を空間的配列に変換するようにして配置されたものとする。
【００５１】
また、この秘匿情報を記録した回折格子要素群４１の周囲にも同様な回折格子要素からなる回折格子群を配置し、その回折格子要素には秘匿情報を保持しないようにすることで、秘匿情報を保持することのない回折格子要素群の中に、秘匿情報を保持する回折格子要素群を混在させ、これら秘匿情報を保持する回折格子要素の存否及びその位置を隠し、回折格子要素群の全体が可視画像を表現するようにすることによって、その偽造をより困難とすることができる。
【００５２】
次に、本発明の実施の形態に係る秘匿情報検知装置について説明する。
【００５３】
図７は、本発明の実施の形態に係る秘匿情報検知装置の原理を示す説明図である。本発明の実施の形態に係る秘匿情報検知装置は、中空で円形の拡散面を持った光源３９と、読取装置４０とを備えている。光源３９は、回折格子要素群３１を含む情報記録媒体１０に照明光３６を照射する。読取装置４０は、照明光３６が、回折格子要素群３１で回折してなる回折光３７を検知する検知機能と、検知機能によって検知された回折光３７に基づいて、最大辺の長さＨが０．１５ｍｍ以下の回折格子要素３２〜３４を読み取ることが可能な分解能とを備えている。また、最小辺の長さが１ｍｍ以上の大きさの読取領域から、秘匿情報を読み取ることが可能な能力も備えている。なお、ここでは、回折格子要素として、方形の回折格子要素を用いて説明している。
【００５４】
すなわち、図７では、回折格子要素群３１は、回折格子要素３２、回折格子要素３３、回折格子要素３４の３種類の回折格子により構成され、回折格子要素群３１に中空で円形の拡散面をもった光源３９により照明光を照射する際に、照明光源マスク３５を円形の照明光に設け、部分的に選択した照明光３６を照射するようにしている。
【００５５】
そして、照明光３６は回折格子要素３２により回折した回折光３７として所定領域３８の近傍に回折されるように回折格子要素３２の回折格子間隔ｈと、回折格子角度θ（図２参照）が設定されている。
【００５６】
また、回折格子要素３４からの回折光３７も同様に所定領域３８の近傍に回折されるように回折格子要素３４の回折格子間隔ｈと、回折格子角度θが設定されている。
【００５７】
ところで、回折格子要素３３の回折格子間隔ｈと、回折格子角度θは、照明光源マスク３５によって回折光３７が射出しないように設定され、所定領域３８の近傍には回折しないように設定する。
【００５８】
これにより、回折格子要素３２と回折格子要素３４は秘匿情報を記録した情報記録要素となり、回折格子要素３３は回折格子ではあるが、秘匿情報を保持しない情報隠蔽要素となる。
【００５９】
次に、所定領域３８の近傍に読取装置４０を設け、所定領域３８の近傍に回折してくる回折光３７を画像として読み取る。そして、その読み取り画像から情報記録要素の配列パターンを画像処理すること等によって秘匿情報を検出する。
【００６０】
ところで、図７に示すように、中空で円形の拡散面をもった照明光３６を照射する光源３９及び照明光源マスク３５を用いず、回折光３７が所定領域３８の近傍に回折するような照明位置に点状の光源を設けた場合、基板の表面平滑性が悪いと、回折光３７の射出角度にばらつきが発生するため、回折光３７が所定領域３８から外に出てしまう場合がある。
【００６１】
この場合には、点状の光源ではなく、面積を持った拡散光源に変更することで、基板の表面平滑性が悪い場合でも、回折光３７の射出範囲に拡がりが発生し、所定領域３８に回折光３７を導くことができ、秘匿情報の読み取りが可能となる。
【００６２】
次に、本発明の実施の形態に係る情報記録媒体の製造方法について説明する。本発明の実施の形態に係る情報記録媒体は公知の方法で製造することが可能である。
【００６３】
すなわち、まず、原盤を製造する。原盤は、基材上にレジストを塗布し、このレジスト層を多数の領域に区分して、その領域ごとにレジスト層表面に回折格子の凹凸を設ける。この凹凸は、周知のレーザー光による二光束干渉法または電子線描画法によって可能である。
【００６４】
二光束干渉法による場合には前記レジストとしてフォトレジストを使用し、電子線描画法による場合にはＥＢレジストを使用する必要がある。なお、この凹凸は、情報記録媒体の回折格子を構成するものであるから、予めその反射回折方向を設計する必要がある。
【００６５】
そして、得られた原盤から、その表面の凹凸を反転する工程を繰り返し、実用版を製造する。この実用版は、前記原盤の凹凸を正確に反映したものである。
【００６６】
一方、転写箔基材上に剥離層及び保護層をこの順に塗布する。転写箔基材としては、例えば、ポリエステルフィルムなどのプラスティックフィルムが使用できる。
【００６７】
また、剥離層としては、シリコーン樹脂が使用できる。保護層としては、透明性の高い樹脂が好ましく、例えば、アクリル系樹脂が使用できる。
【００６８】
そして、前記実用版を熱圧して、その表面の凹凸を保護層表面に転写する。次に、この凹凸表面に光反射層を形成する。
【００６９】
光反射層としては、アルミニウムや銅などの金属が使用できる。また、前記保護層と屈折率の異なる透明材料を使用することも可能である。このような透明材料としては、酸化チタン、硫化亜鉛などが例示できる。これら光反射層は、真空蒸着やスパッタリングなどの真空成膜法によって設けることが望ましい。
【００７０】
なお、保護層表面に光反射層を設けた後、この光反射層表面に前記実用版を熱圧することで、凹凸を転写することも可能である。
【００７１】
次に、この光反射層表面に接着層を塗布して、転写箔を得ることができる。そして、この転写箔を前記基板に重ね、接着層、光反射層及び保護層を転写し、転写箔基材と剥離層とを剥離除去して、情報記録媒体を得ることができる。
【００７２】
上述したように、本実施の形態に係る情報記録媒体においては、上記のような作用により、基板表面の表面平滑性が悪い場合であっても、確実に秘匿情報を読み取ることができると共に、所定の秘匿情報を記録した領域を判別することを困難にすることが可能となる。
【００７３】
また、本実施の形態に係る秘匿情報検知装置においては、上記のような作用により、本実施の形態に係る情報記録媒体のように、秘匿情報を記録した領域を判別することが困難な情報記録媒体からであっても、秘匿情報を安定して読み取ることが可能となる。
【００７４】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００７５】
【図１】本発明の実施の形態に係る情報記録媒体の構成例を示す平面図。
【図２】回折格子要素の一例を示す平面図。
【図３】本発明の実施の形態に係る情報記録媒体における光の回折を説明するための図。
【図４】本発明の実施の形態に係る情報記録媒体における回折格子の作製方法を説明するための概念図。
【図５】回折格子要素群を構成する複数の回折格子要素の配列例を示す平面図。
【図６】回折格子要素群を構成する複数の回折格子要素の別の配列例を示す平面図。
【図７】本発明の実施の形態に係る秘匿情報検知装置の構成例を示す概念図。
【符号の説明】
【００７６】
Ｋ…回折格子、ｈ…格子間隔、θ…格子角度、Ｌ…レーザー光、Ｓ…干渉縞、１０…情報記録媒体、１１…回折格子要素、２１…回折格子要素群、２２…情報記録要素、２３…情報隠蔽要素、２４…回折格子要素、３１…回折格子要素群、３２…回折格子要素、３３…回折格子要素、３４…回折格子要素、３５…照明光源マスク、３６…照明光、３７…回折光、３８…所定領域、３９…光源、４０…読取装置、４１…回折格子要素群、４２…情報記録要素、４３…情報隠蔽要素、４４…情報記録要素
【図１】
0004770569.tif 000002
【図２】
0004770569.tif 000003
【図３】
0004770569.tif 000004
【図４】
0004770569.tif 000005
【図５】
0004770569.tif 000006
【図６】
0004770569.tif 000007
【図７】
0004770569.tif 000008